(57)【要約】【課題】  シューズの甲被部からソール部に向かう気流の甲被部からの剥離を抑制し、前進するシューズに作用する抗力を低減し、振り上げ足の動作スピードを上げ、パフォーマンスを向上させることができるシューズを提供する。【解決手段】  シューズ１は、ソール部１０と、ソール部１０に対して装着者の足の甲側に甲被部２０と、甲被部２０上における突起形成部１Ａ上に設けられ、甲被部２０からソール部１０に向かう方向の気流が甲被部２０から剥離するのを抑制する突起とを備える。【選択図】        図１
2005349069.tif 000002
【特許請求の範囲】
【請求項１】
甲被部と、
内甲側の前記甲被部上における装着者の足の拇趾球周辺部から拇趾球周辺上部に位置する第１領域、外甲側の前記甲被部上における爪先部先端下方から装着者の足の子趾球周辺部を経て踏まず部スウェル部に至る第２領域、内甲側の前記甲被部上における爪先スウェル部から装着者の足の拇趾球周辺部に位置する第３領域および外甲側の前記甲被部上における爪先部先端スウェル部から装着者の足の子趾球周辺スウェル部を経て踏まず部スウェル部に至る第４領域のうちの少なくとも１つの領域の近傍であって該領域に対して装着者の足の甲側に位置する前記甲被部上に選択的に設けられた突出部とを備えたシューズ。
【請求項２】
前記突出部は、前記第１から第４領域のうちの少なくとも１つの領域に沿って帯状に形成される、請求項１に記載のシューズ。
【請求項３】
甲被部と、
内甲側の前記甲被部上における装着者の足の拇趾球周辺部に位置する第１領域および外甲側の前記甲被部上における爪先部先端から装着者の足の子趾球周辺スウェル部を経て踏まず部スウェル部に至る第２領域の少なくとも一方の領域の近傍であって該領域に対して装着者の足の甲側に位置する前記甲被部上に選択的に設けられた突出部とを備えたシューズ。
【請求項４】
甲被部と、
内甲側の前記甲被部上における踵スウェル部に位置する第１領域および外甲側の前記甲被部上における踵スウェル部に位置する第２領域の少なくとも一方の領域の近傍であって該領域に対して装着者の足の甲側に位置する前記甲被部上に選択的に設けられた突出部とを備えたシューズ。
【請求項５】
前記突出部は、前記第１または第２領域の少なくとも一方の領域に沿って帯状に形成される、請求項３または請求項４に記載のシューズ。
【請求項６】
ソール部と、
前記ソール部に対して装着者の足の甲側に甲被部と、
前記甲被部上に設けられ、前記甲被部から前記ソール部に向かう方向の気流が前記甲被部から剥離するのを抑制する突出部とを備えたシューズ。
【発明の詳細な説明】
【技術分野】
【０００１】
本発明は、シューズに関し、特に、空気抵抗を低減させたシューズに関する。
【背景技術】
【０００２】
スポーツ全般において装着されるシューズについて重量低減を達成するための技術が従来から知られている。重量低減を図ることで、装着者への負担が小さくなり、運動時の足の動作スピードを向上させることができる。この結果、たとえば陸上競技のスプリント種目などにおいて、記録の向上が期待される。
【０００３】
しかしながら、すでに種々の技術が提供された結果、シューズの重量はほぼ限界まで低減されたといわれている。
【特許文献１】特開平８−３３２１０１号公報
【特許文献２】特開平９−１１１５１４号公報
【特許文献３】特開２００３−１０５６０８号公報
【発明の開示】
【発明が解決しようとする課題】
【０００４】
上述したように、近年シューズの重量低減がほぼ限界に達しつつあることから、新規な着想に基づく走りやすいシューズの開発が求められている。
【０００５】
これに対し、本願発明者らが研究を進めたところ、走行中の振り上げ足（着地していない側の足）において、シューズの形状に起因する無視できない程度の空気抵抗（抗力）がシューズに作用していることが分かった。したがって、この空気抵抗を低減させることが、振り上げ足の動作スピードを上げ、パフォーマンスを向上させることができるシューズ(本願明細書においては、以下、「走りやすいシューズ」と称する場合がある。）を提供する観点から有効である。
【０００６】
ところで、特開平８−３３２１０１号公報（従来例１）においては、サッカーなどの球技に用いるシューズであって、ボールに当接する表面に凹凸が形成され、または、ボールに当接する表面に多数の突起、突条または凹部が形成されたシューズが開示されている。
【０００７】
また、特開平９−１１１５１４号公報（従来例２）においては、着用時に胸部、腹部、肩甲骨部などに相当する部分に突起が設けられた競泳水着が開示されている。
【０００８】
さらに、特開２００３−１０５６０８号公報（従来例３）においては、着用時に前頭部、下腿部、大腿部、肩後方部および上腕部のいずれかの部位に相当する部分に突起が設けられたスケート競技用衣服が開示されている。
【０００９】
しかしながら、従来例１に係るシューズにおいては、突起はボールに所望の変化を与えるために設けられており、該突起は空気抵抗を低減可能な位置に選択的に設けられたものではない。
【００１０】
また、従来例２，３に係る突起は、シューズの甲被部に設けられたものではない。また、そもそも「振り上げ足」（着地していない側の足）のシューズに作用する空気抵抗に着目することは、従来は行なわれていなかった。
【００１１】
本発明は、上記のような問題に鑑みてなされたものであり、本発明の目的は、空気抵抗を低減させたシューズを提供することにある。
【課題を解決するための手段】
【００１２】
本発明に係るシューズは、１つの局面では、甲被部と、内甲側の甲被部上における装着者の足の拇趾球周辺部から拇趾球周辺上部に位置する第１領域、外甲側の甲被部上における爪先部先端下方から装着者の足の子趾球周辺部を経て踏まず部スウェル部に至る第２領域、内甲側の甲被部上における爪先スウェル部から装着者の足の拇趾球周辺部に位置する第３領域および外甲側の甲被部上における爪先部先端スウェル部から装着者の足の子趾球周辺スウェル部を経て踏まず部スウェル部に至る第４領域のうちの少なくとも１つの領域の近傍であって該領域に対して装着者の足の甲側に位置する前記甲被部上に選択的に設けられた突出部とを備える。
【００１３】
上記第１〜第４領域は、甲被部からソール部に向かう方向の気流が甲被部から剥離する剥離領域に相当する。したがって、第１〜第４領域の上流側に突出部を設けることで、気流が乱され、該気流の甲被部からの剥離が抑制される。この結果、シューズに作用する抗力が低減され、走りやすいシューズが提供される。
【００１４】
ここで、突出部は、上記第１から第４領域のうちの少なくとも１つの領域に沿って帯状に形成されることが好ましい。
【００１５】
これにより、気流の剥離を効率よく抑制することができる。
【００１６】
本発明に係るシューズは、他の局面では、甲被部と、内甲側の甲被部上における装着者の足の拇趾球周辺部に位置する第１領域および外甲側の甲被部上における爪先部先端から装着者の足の子趾球周辺スウェル部を経て踏まず部スウェル部に至る第２領域の少なくとも一方の領域の近傍であって該領域に対して装着者の足の甲側に位置する甲被部上に選択的に設けられた突出部とを備える。
【００１７】
この局面においても、上記と同様に、走りやすいシューズが提供される。
【００１８】
なお、本局面においては、突出部は、上記第１または第２領域の少なくとも一方の領域に沿って帯状に形成されることが好ましい。
【００１９】
本発明に係るシューズは、さらに他の局面では、甲被部と、内甲側の甲被部上における踵スウェル部に位置する第１領域および外甲側の甲被部上における踵スウェル部に位置する第２領域の少なくとも一方の領域の近傍であって該領域に対して装着者の足の甲側に位置する甲被部上に選択的に設けられた突出部とを備える。
【００２０】
この局面においても、上記と同様に、走りやすいシューズが提供される。
【００２１】
なお、本局面においても、突出部は、上記第１または第２領域の少なくとも一方の領域に沿って帯状に形成されることが好ましい。
【００２２】
本発明に係るシューズは、さらに他の局面では、ソール部と、ソール部に対して装着者の足の甲側に甲被部と、甲被部上に設けられ、甲被部からソール部に向かう方向の気流が甲被部から剥離するのを抑制する突出部とを備える。
【００２３】
これにより、シューズに作用する抗力が低減され、走りやすいシューズが提供される。
【発明の効果】
【００２４】
本発明によれば、空気抵抗が低減されたシューズを提供することができる。
【発明を実施するための最良の形態】
【００２５】
以下に、本発明に基づくシューズの実施の形態について説明する。
【００２６】
本実施の形態に係るシューズは、ソール部と、ソール部に対して装着者の足の甲側に甲被部と、甲被部上に設けられ、甲被部からソール部に向かう方向の気流が甲被部から剥離するのを抑制する突出部とを備える。
【００２７】
上記シューズは、典型的には、陸上競技のスプリント種目用として用いられるが、陸上競技のその他の種目に用いられてもよいし、たとえば球技などその他の用途で用いられてもよい。
【００２８】
図１７は、シューズの甲被部に気流を作用させた状態を該シューズの爪先側からみた状態を示す図である。
【００２９】
図１７を参照して、本願発明者らの検討により、シューズ１の甲被部２０からソール部１０へと向かう気流が、甲被部２０上における剥離領域２において甲被部２０上から剥離し、この結果、剥離点の下流側で渦が発生し、運動方向と逆方向の抗力（空気抵抗）が作用することが分かった。したがって、シューズに作用する空気抵抗を低減するために、上記剥離領域の上流側に突起を設け、気流を乱し、剥離を抑制することが有効である。
【００３０】
図３は、本願発明者らが行なった振り上げ足のシューズの甲被部上における圧力分布に関するシミュレーションにおける気流方向とソール部方向との交差角度（図３中のθ）について示した図である。ここで、ソール部方向とは、ソール部の先端と後端とを結ぶ方向を意味する。
【００３１】
なお、図３および後述する図４〜図１１においては、シューズ１として左足に装着されるものを示す。
【００３２】
シミュレーションは、Ｆｌｕｅｎｔ社製の解析ソフト「Ｆｌｕｅｎｔ」を用いて、非圧縮流体解析により行なわれる。甲被部からソール部に向かう気流（図３中の矢印）の速度は、２０（ｍ／ｓ）に設定される。この速度は、陸上競技短距離走の走行動作における振り上げ足の最高速度とほぼ等しい。シューズ１の外形モデルとしては、一般的に用いられる陸上競技スプリント種目のシューズの外形が採用される。シューズ１の外形が変化した場合も、解析結果については、後述する内容とほぼ同様の傾向が現れると考えられる。
【００３３】
上記シミュレーションにより、θ＝３５°，９０°の条件下において、上記速度の気流をシューズ１に作用させた際の、甲被部上における圧力の分布が求められる。なお、本願発明者らは、速度２０（ｍ／ｓ）程度で走行した際に、θ＝３５°程度においてシューズ１が受ける気流による抗力が最大となることを確認している。また、θ＝９０°の場合において、気流方向に直交する方向に延在する平面に投影されたシューズ１の面積（シューズ１が抗力を受ける面積）が最大となる。
【００３４】
ところで、図１０，図１１は、それぞれシューズ１の甲被部における内甲側／外甲側の各部分を説明する図である。
【００３５】
図１０を参照して、内甲側の甲被部においては、シューズの先端から後端に向かって、爪先部３、拇趾球周辺部４Ａおよび踏まず部５が並ぶ。また、踵スウェル部６は、シューズの後端側（踵部側）に位置する。
【００３６】
図１１を参照して、外甲側の甲被部においては、シューズの先端から後端に向かって、爪先部３、子趾球周辺部４Ｂおよび踏まず部５が並ぶ。また、踵スウェル部６は、シューズの後端側（踵部側）に位置する。
【００３７】
ここで、「拇趾球」とは、第１足趾中足趾節関節部分を意味し、「子趾球」とは、第５足趾中足趾節関節部分を意味する。「踏まず部」とは、シューズの先端側から後端側に向かう方向において装着者の土踏まずに相当する部分およびその周辺部分を意味する。また、「スウェル部」とは、シューズの甲被部からソール部に向かう方向において該甲被部がシューズの外側に向けて最も突出している部分およびその周辺部分を意味する。「踵部」とは、シューズにおける後端側部分を意味する。「踵スウェル部」とは、「踵部」における「スウェル部」を意味する。
【００３８】
図４〜図９は、シミュレーション結果を示した図である。ここで、図４，図５は、それぞれθ＝３５°の場合における内甲側／外甲側の甲被部上において圧力が相対的に低くなった領域２Ａ，２Ｂを示し、図６，図７は、それぞれθ＝９０°の場合における内甲側／外甲側の甲被部上において圧力が相対的に低くなった領域２Ｃ〜２Ｆを示す。また、図８は、図４に示す領域２Ａと図６に示す領域２Ｃ，２Ｅとが重なる領域２Ｇを示し、図９は、図５に示す領域２Ｂと図７に示す領域２Ｄ，２Ｆとが重なる領域２Ｈを示す。なお、図４〜図７中の矢印は、シューズ１に作用する気流方向を示す。
【００３９】
図４〜図９を参照して、領域２Ａ〜２Ｈが延在する位置について詳細に説明する。
【００４０】
領域２Ａは、図４に示すように、内甲側の甲被部上における装着者の足の拇趾球周辺部から拇趾球周辺上部に位置する。
【００４１】
領域２Ｂは、図５に示すように、外甲側の甲被部上における爪先部先端下方から装着者の足の子趾球周辺部を経て踏まず部スウェル部に至る。なお、「踏まず部スウェル部」とは、「踏まず部」における「スウェル部」を意味する。
【００４２】
領域２Ｃは、図６に示すように、内甲側の甲被部上における爪先スウェル部から装着者の足の拇趾球周辺部に位置する。なお、「爪先スウェル部」とは、「爪先部」における「スウェル部」を意味する。
【００４３】
領域２Ｄは、図７に示すように、外甲側の甲被部上における爪先部先端スウェル部から装着者の足の子趾球周辺スウェル部を経て踏まず部スウェル部に至る。なお、「爪先部先端スウェル部」とは、「爪先部先端」における「スウェル部」を意味する。
【００４４】
領域２Ｅ，２Ｆは、それぞれ図６，図７に示すように、内甲側／外甲側の甲被部上における踵スウェル部に位置する。
【００４５】
領域２Ｇは、図８に示すように、内甲側の甲被部上における装着者の足の拇趾球周辺部に位置する。
【００４６】
領域２Ｈは、図９に示すように、外甲側の甲被部上における爪先部先端から装着者の足の子趾球周辺スウェル部を経て踏まず部スウェル部に至る。なお、「子趾球周辺スウェル部」とは、「子趾球周辺部」における「スウェル部」を意味する。
【００４７】
甲被部上の圧力は、甲被部からソール部に向かう気流が甲被部上から剥離することにより低くなると考えられる。すなわち、領域２Ａ〜２Ｈは、上記気流が甲被部上から剥離する剥離領域に相当する。
【００４８】
上記剥離領域が生じることにより、その剥離点の後方においてシューズの進行方向に対して逆流する渦が発生し、前進するシューズに対して抗力が作用することになる。
【００４９】
これに対し、本実施の形態に係るシューズにおいては、気流の剥離を抑制するための突起が甲被部上に設けられる。
【００５０】
甲被部上の突起（突出部）は、１つの局面では、内甲側の甲被部上における領域２Ａ（第１領域／図４参照）、外甲側の甲被部上における領域２Ｂ（第２領域／図５参照）、内甲側の甲被部上における領域２Ｃ（第３領域／図６参照）および外甲側の甲被部上における領域２Ｄ（第４領域／図７参照）のうちの少なくとも１つの領域の近傍であって該領域に対して装着者の足の甲側（図４〜図７における上側）に位置する前記甲被部上に選択的に設けられる。
【００５１】
ここで、上記突起は、領域２Ａ〜２Ｄのいずれか１つの領域近傍にのみ設けられてもよいし、複数の領域近傍に設けられてもよい。たとえば、シューズの内甲側にのみ突起が設けられる場合は、領域２Ａ，２Ｃ近傍にのみ突起が設けられ、シューズの外甲側にのみ突起が設けられる場合は、領域２Ｂ，２Ｄにのみ突起が設けられる。
【００５２】
領域２Ａ〜２Ｄは、シューズが受ける抗力が最も大きくなるθ＝３５°、または、ソール部方向が気流に対して直交するθ＝９０°の場合に上記気流が甲被部から剥離する剥離領域に相当する。したがって、領域２Ａ〜２Ｄの上流側に突出部を設けることで、気流が乱され、該気流の甲被部からの剥離が抑制される。この結果、シューズに作用する抗力が低減され、走りやすいシューズが提供される。
【００５３】
ここで、突起は、領域２Ａ〜２Ｄのうちの少なくとも１つの領域に沿って帯状に形成されることが好ましい。ここで、「帯状に形成される」とは、複数の突起が帯状に並んで形成される場合と、１つの突起が帯状に延在する場合とを含む。
【００５４】
突起が帯状に形成されることにより、比較的少ない、または、小さい突起によって気流の剥離を効率よく抑制することができる。
【００５５】
甲被部上の突起（突出部）は、他の局面では、内甲側の甲被部上における領域２Ｅ（第１領域／図６参照）および外甲側の甲被部上における領域２Ｆ（第２領域／図７参照）の少なくとも一方の領域の近傍であって該領域に対して装着者の足の甲側（図６，図７における上側）に位置する甲被部上に選択的に設けられる。
【００５６】
ここで、上記突起は、領域２Ｅ，２Ｆのいずれか一方の領域近傍にのみ設けられてもよいし、双方の領域近傍に設けられてもよい。たとえば、シューズの内甲側にのみ突起が設けられる場合は、領域２Ｅ近傍にのみ突起が設けられ、シューズの外甲側にのみ突起が設けられる場合は、領域２Ｆ近傍にのみ突起が設けられる。
【００５７】
領域２Ｅ，２Ｆは、シューズの踵部において上記気流が甲被部から剥離する剥離領域に相当する。したがって、この局面においても、領域２Ｅ，２Ｆに突起を設けることにより、上記と同様に、走りやすいシューズが提供される。
【００５８】
なお、本局面においては、突起は、領域２Ｅ，２Ｆの少なくとも一方の領域に沿って帯状に形成されることが好ましい。
【００５９】
甲被部上の突起（突出部）は、さらに他の局面では、内甲側の甲被部上における領域２Ｇ（第１領域／図８参照）および外甲側の甲被部上における領域２Ｈ（第２領域／図９参照）の少なくとも一方の領域の近傍であって該領域に対して装着者の足の甲側（図８，図９における上側）に位置する甲被部上に選択的に設けられる。
【００６０】
ここで、上記突起は、領域２Ｇ，２Ｈのいずれか一方の領域近傍にのみ設けられてもよいし、双方の領域近傍に設けられてもよい。たとえば、シューズの内甲側にのみ突起が設けられる場合は、領域２Ｇ近傍にのみ突起が設けられ、シューズの外甲側にのみ突起が設けられる場合は、領域２Ｈ近傍にのみ突起が設けられる。
【００６１】
領域２Ｇ，２Ｈは、シューズが受ける抗力が最も大きくなるθ＝３５°、および、ソール部方向が気流に対して直交するθ＝９０°の場合に上記気流が甲被部から剥離する剥離領域に相当する。したがって、この局面においても、領域２Ｇ，２Ｈに突起を設けることにより、上記と同様に、走りやすいシューズが提供される。
【００６２】
なお、本局面においては、突起は、領域２Ｇ，２Ｈの少なくとも一方の領域に沿って帯状に形成されることが好ましい。
【００６３】
上述した各局面においては、シューズの前足部（領域２Ａ〜２Ｄ／領域２Ｇ，２Ｈ）または踵部（領域２Ｅ，２Ｆ）にのみ突起が設けられているが、前足部および踵部の双方に突起を設けることも当然に予定されている。
【００６４】
突起の形状については適宜変更が可能である。当該形状としては、たとえば、半円球状、四角柱状、三角柱状、円錐状、四角錐状および三角錐状のものが考えられる。
【００６５】
突起を構成する素材についても適宜変更が可能である。当該素材としては、たとえば、シリコン、シリコンゴム、ポリウレタン、ポリ塩化ビニル、ナイロン、ポリエステル、ポリエチレンおよびポリプロピレンなどを含むものが考えられる。
【００６６】
突起の大きさについても適宜変更が可能である。複数の突起を設ける場合には、その間隔についても適宜変更が可能である。複数の突起の大きさ／間隔を突起形成領域内で等しくしてもよいし、突起形成領域内で互いに異ならせてもよい。たとえば、気流の上流側において突起の大きさを相対的に大きく（下流側において相対的に小さく）したり、気流の上流側において突起の間隔を相対的に小さく（下流側において相対的に大きく）したりすることが考えられる。
【００６７】
甲被部上への突起の取付け方法についても適宜変更が可能である。１つの例としては、たとえば、１つ１つの突起を甲被部上に接着剤などを用いて貼付けることが考えられる。他の例としては、たとえば、複数の突起が底板上に設けられた突起群部材を甲被部上に貼付けることが考えられる。さらに他の例としては、甲被部上に達する巻上部を有するソール部材を設け、該巻上部上に突起を形成することが考えられる。このように、甲被部上に達したソール部材上に突起が設けられる場合も、該突起は「甲被部上に設けられた」と解釈されるべきである。
【００６８】
なお、甲被部とは、装着者の足の甲を覆い、装着時に外部に露出する部分を意味する。
【実施例１】
【００６９】
図１は、実施例１に係るシューズ１を示した図である。
【００７０】
図１を参照して、シューズ１は、ソール部１０と甲被部２０とを有する。甲被部２０上には、帯状の突起形成部１Ａが設けられる。突起形成部１Ａは、シューズ１の前部と後部とに分かれて設けられる。突起形成部１Ａは、上述した気流の剥離領域近傍であって、該領域よりも装着者の足の甲側（図１における上側）に設けられる。
【００７１】
突起形成部１Ａにおいては、同一形状を有する複数の突起が帯状に等間隔でならんで形成されるが、この配置などについては、後述するような変形例を採用することが可能である。
【００７２】
図１２〜図１６は、突起形成部１Ａ内に形成される突起１Ｂの配置の変形例を示した図である。なお、図１２〜図１６における「上流側」，「下流側」とは、甲被部２０からソール部１０に向かう気流（図１２〜図１６中の矢印）の「上流側」，「下流側」を意味する。図１２〜図１６における「上流側」−「下流側」方向とシューズ１の甲被部−ソール部方向との関係は、適宜変更可能である。たとえば、「上流側」−「下流側」方向と甲被部−ソール部方向とを一致させる（すなわちθ＝９０°にする）場合、上記「上流側」，「下流側」は、それぞれ図１における上側，下側に相当する。
【００７３】
図１２〜図１５に示す例では、複数の突起１Ｂが断続的に帯状にならんで形成されている。図１２，図１３に示す例では、突起１Ｂは、「上流側」から「下流側」に向かうにつれてその大きさが小さくなるように形成される。また、図１４，図１５に示す例では、突起１Ｂは、「上流側」から「下流側」に向かうにつれてその間隔が大きくなるように形成される。なお、図１３〜図１５に示す例では、突起１Ｂは千鳥に配置されている。
【００７４】
一方、図１６に示す例では、突起１Ｂは細長の形状を有し、突起形成部１Ａ内において帯状に延在している。
【００７５】
上記のような突起１Ｂを設けることで、甲被部２０からソール部１０に向かう気流が剥離領域において甲被部２０から剥離するのを抑制することができる。結果として、抗力が抑制された走りやすいシューズ１が提供される。
【実施例２】
【００７６】
図２は、実施例２に係るシューズ１を示した図である。
【００７７】
図２を参照して、シューズ１は、ソール部１０とカバー部材２０Ａ（甲被部）とを備えている。カバー部材２０Ａの内側には、靴紐などが取り付けられた部材が設けられる。カバー部材２０Ａは、靴紐などの凹凸による空気抵抗を低減するために設けられる。
【００７８】
なお、本願明細書においては、実施例１における甲被部２０のみならず、カバー部材２０Ａのような部材を含めて「甲被部」と称する。
【００７９】
カバー部材２０Ａ上には、実施例１と同様に突起形成部１Ａが設けられる。突起形成部１Ａには、たとえば図１２〜図１６に示すような突起１Ｂが設けられる。
【００８０】
なお、本実例において、上述した実施例１と同様の事項については、詳細な説明は繰り返されない。
【００８１】
以上、本発明の実施の形態および実施例について説明したが、上述した実施の形態および各実施例の特徴部分を適宜組み合わせることは、当初から予定されている。また、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００８２】
【図１】本発明の実施例１に係るシューズを示した図である。
【図２】本発明の実施例２に係るシューズを示した図である。
【図３】シミュレーションにおける気流方向とソール部方向との交差角度（θ）について示した図である。
【図４】シミュレーションにより求められた剥離領域を示した図であり、θ＝３５°における内甲側の剥離領域を示す。
【図５】シミュレーションにより求められた剥離領域を示した図であり、θ＝３５°における外甲側の剥離領域を示す。
【図６】シミュレーションにより求められた剥離領域を示した図であり、θ＝９０°における内甲側の剥離領域を示す。
【図７】シミュレーションにより求められた剥離領域を示した図であり、θ＝９０°における外甲側の剥離領域を示す。
【図８】図４，図６に示す剥離領域が重複する領域を示した図である。
【図９】図５，図７に示す剥離領域が重複する領域を示した図である。
【図１０】シューズの甲被部における内甲側の各部分を説明する図である。
【図１１】シューズの甲被部における外甲側の各部分を説明する図である。
【図１２】突起形成部に形成される突起の配置の一例を示した図である。
【図１３】突起形成部に形成される突起の配置の他の例を示した図である。
【図１４】突起形成部に形成される突起の配置のさらに他の例を示した図である。
【図１５】突起形成部に形成される突起の配置のさらに他の例を示した図である。
【図１６】突起形成部に形成される突起の配置のさらに他の例を示した図である。
【図１７】シューズの甲被部に気流を作用させた状態を該シューズの爪先側からみた状態を示す図である。
【符号の説明】
【００８３】
１  シューズ、１Ａ  突起形成部、１Ｂ  突起、２  剥離領域、２Ａ〜２Ｈ  領域（剥離領域）、３  爪先部、４Ａ  拇趾球周辺部、４Ｂ  子趾球周辺部、５  踏まず部、６  踵スウェル部、１０  ソール部、２０  甲被部、２０Ａ  カバー部材。
【図１】
2005349069.tif 000003
【図２】
2005349069.tif 000004
【図３】
2005349069.tif 000005
【図４】
2005349069.tif 000006
【図５】
2005349069.tif 000007
【図６】
2005349069.tif 000008
【図７】
2005349069.tif 000009
【図８】
2005349069.tif 000010
【図９】
2005349069.tif 000011
【図１０】
2005349069.tif 000012
【図１１】
2005349069.tif 000013
【図１２】
2005349069.tif 000014
【図１３】
2005349069.tif 000015
【図１４】
2005349069.tif 000016
【図１５】
2005349069.tif 000017
【図１６】
2005349069.tif 000018
【図１７】
2005349069.tif 000019